(57)【要約】【課題】  汚れがたまりにくく、衝突面の広い範囲で、衝突角度を十分に調節でき、小便の跳ね返りを抑えやすい小便器を提供する。【解決手段】小便器１の内部の正面に位置する衝突面１１に、小便の跳ね返りを抑えるための稜部１５が形成される。この稜部１５の水平断面は、左右対称であり、水平断面を構成する手前側の左右の線は、直線と凹状の折れ線である。水平断面は、縦方向に、下部から上部へ、連続して変化し、よって、構成する手前側の左右の線は、直線から凹状の折れ線へ変化する。これにより、水平断面は２等辺三角と、２等辺三角が二つ重なったいわば尖り帽子の形状となる。このため、稜部１５の全体形状は、縦置き状態で２等辺三角柱状部分１７の上部の頂部に、逆さの三角錐状部分１９を合体させた形状を有する。これにより、２等辺三角柱状部分１７の稜線は垂直線となり、逆さの三角錐状部分１９の稜線は、上部が手前側へ傾斜する傾斜線となる。【選択図】図１
2010047929.tif 000002
【特許請求の範囲】
【請求項１】
小便器において、小便器の正面に位置する衝突面に、手前に向かって突出し、縦方向に連続して形成される稜部を有することを特徴とする小便の跳ね返りを抑えた小便器。
【請求項２】
前記稜部の水平断面は、左右対称であり、この水平断面を構成する手前側の左右の線は、直線、折れ線、または曲線であることを特徴とする請求項１に記載の小便の跳ね返りを抑えた小便器。
【請求項３】
前記水平断面は、縦方向に連続して変化し、構成する手前側の左右の線は、直線から凹状の折れ線へ変化することで、前記稜部の全体形状は、縦置き状態で２等辺三角柱状部分の頂部に、三角錐状部分を合体させた形状を有することを特徴とする請求項１、または請求項２に記載の小便の跳ね返りを抑えた小便器。
【請求項４】
前記縦置き状態の２等辺三角柱状部分の上部の頂部に、三角錐状部分を逆さに合体させた形状とすることで、２等辺三角柱状部分の稜線は垂直線とし、逆さの三角錐状部分の稜線は上部が手前側へ傾斜する傾斜線とすることを特徴とする請求項３に記載の小便の跳ね返りを抑えた小便器。
【発明の詳細な説明】
【技術分野】
【０００１】
本発明は、男性用の小便器の正面に位置する衝突面に、手前に向かって突出する部分を形成して、小便の跳ね返りを抑えた小便器の形状に関する。
【背景技術】
【０００２】
これまでにも、男性用の小便器の尿の跳ね返りの対策として、下記特許文献１のように、小便器の正面に位置する衝突面に半球状の突起を設けるものがあった。また、下記特許文献２のように、衝突面を縦方向へなだらかに変化させる曲面にするものがあった。いずれも小便の衝突角度を調節して、小便の跳ね返りを抑えるものである。
【特許文献１】実用新案登録３０７９６４５
【特許文献２】実開平０５−０８９５７５
【発明の開示】
【発明が解決しようとする課題】
【０００３】
しかし、特許文献１の半球状の突起は、突起の周囲に９０度の角度で不連続部ができてしまうので、汚れがたまりやすい。
また、特許文献２の縦方向へなだらかに変化させる曲面は、変化する曲面の角度を、あまり大きくできない。大きくすると、この曲面が、小便器から手前に大きく飛び出してしまい、小便の跳ね返りが余計にひどくなるからである。仮に、この曲面を一部の小さな範囲に形成すれば、飛び出しは小さくなるが、曲面が形成されていない部分が残り、その部分では、跳ね返りは抑えられない。よって、衝突角度を十分には調節できず、小便の跳ね返りを抑えにくい。
【０００４】
この発明は、以上の課題を解決するためになされたもので、汚れがたまりにくく、衝突面の広い範囲で、衝突角度を十分に調節でき、小便の跳ね返りを抑えやすい小便器を提供することを課題とする。
【課題を解決するための手段】
【０００５】
課題を解決するために、第１発明は、小便器において、小便器の正面に位置する衝突面に、手前に向かって突出し、縦方向に連続して形成される稜部を有することを特徴とする小便の跳ね返りを抑えた小便器である。
第２発明は、さらに、前記稜部の水平断面は、左右対称であり、この水平断面を構成する手前側の左右の線は、直線、折れ線、または曲線であることを特徴とする小便の跳ね返りを抑えた小便器である。
第３発明は、さらに、前記水平断面は、縦方向に連続して変化し、構成する手前側の左右の線は、直線から凹状の折れ線へ変化することで、前記稜部の全体形状は、縦置き状態で２等辺三角柱状部分の頂部に、三角錐状部分を合体させた形状を有することを特徴とする小便の跳ね返りを抑えた小便器である。
【０００６】
第４発明は、さらに、前記縦置き状態の２等辺三角柱状部分の上部の頂部に、三角錐状部分を逆さに合体させた形状とすることで、２等辺三角柱状部分の稜線は垂直線とし、逆さの三角錐状部分の稜線は上部が手前側へ傾斜する傾斜線とすることを特徴とする小便の跳ね返りを抑えた小便器である。
【発明の効果】
【０００７】
第1発明によれば、衝突面から手前に向かって突出する部分を、縦方向に連続して形成される稜部とすることで、衝突面と稜部の不連続部の角度は、９０度より大きくでき、汚れがたまりにくい。また、縦方向に連続して形成されることで、衝突面の広い範囲で、小便の跳ね返りを抑えやすい。さらに、９０度より大きく１８０℃より小さい角度で、角度を任意に設定でき、よって衝突角度を十分に調節でき、小便の跳ね返りを抑えやすい。
【０００８】
第２発明によれば、稜部を左右対称にでき、小便器の美的外観を損なわない。
第３発明によれば、稜部の全体形状を、縦置き状態で２等辺三角柱状部分の頂部に三角錐状部分を合体させた形状とすることで、衝突角度は、２等辺三角柱状部分と三角錐状部分とで、2段にすることができ、小便の跳ね返りをより抑えられる。
第４発明によれば、逆さの三角錐状部分の稜線は上部が手前側へ傾斜する傾斜線とすることで、この稜線への衝突による小便の跳ね返りを下方へ向けることになり、跳ね返りを抑えられる。
【発明を実施するための最良の形態】
【０００９】
この発明の実施形態を図１から図５において説明する。
図１における小便器１の本体は、全体の側面形状が略Ｌ字形状（図３参照）で、このＬ字の縦辺の背面３は壁に密着支持され、Ｌ字の横辺の下面５は床上６に設置された床置き形である。Ｌ字の縦辺と横辺の内面は、小便を受ける凹部７となっている。
この凹部７の上部には、吐水口９への配管、または自動洗浄用のセンサーの取り付け部が設けられる。凹部７の中央の正面は、小便が衝突する衝突面１１となっている。凹部７の下部で、Ｌ字の横辺は、集水部１３となり、図示しない排水管へ接続する。
【００１０】
このようにして小便器１の内部の正面に衝突面１１が位置する。この衝突面１１に、小便の跳ね返りを抑えるための稜部１５が形成される。
すなわち、衝突面１１に、手前に向かって突出し、縦方向に連続して形成される稜部１５が形成される。稜部１５の水平断面（図１（Ｂ）、図４、図５参照）は、左右対称であり、この水平断面を構成する手前側の左右の線１６は、直線１６Ａ（図４）と凹状の折れ線１６Ｂ（図５）である。水平断面は、小便器１の縦方向に、下部から上部へ、連続して変化し、よって、構成する手前側の左右の線１６は、直線１６Ａから凹状の折れ線１６Ｂへ変化する。これにより、水平断面は２等辺三角（図４）から、２等辺三角が二つ重なったいわば尖り帽子の形状（図５）と変化する。
【００１１】
このため、稜部１５の全体形状は、縦置き状態で２等辺三角柱状部分１７（図１（Ｂ）左）の上部の頂部に、逆さの三角錐状部分１９（図１（Ｂ）左）を合体させた形状を有する。これにより、２等辺三角柱状部分１７の稜線１７Ａは垂直線となり、逆さの三角錐状部分１９の稜線１９Ａは、上部が手前側へ角度Ｔだけ傾斜する傾斜線となる（図３）。
【００１２】
２等辺三角柱状部分１７は、上部が凹部７の内部上面に結合する。さらに、下部が、集水部１３へと結合する。背面が、衝突面１１に結合する。
逆さの三角錐状部分１９は、上部が凹部７の内部上面に結合する。さらに、下部先端が、２等辺三角柱状部分１７の稜線に位置する。
【００１３】
「実施形態の効果」
以上の実施形態によれば、以下の効果を奏する。
（１）小便器１の衝突面１１から手前に向かって突出する部分を、縦方向に連続して形成される稜部１５とすることで、衝突面１１と稜部１５の不連続部２１の角度Ｔ２（図４）は、９０度より大きくでき、汚れがたまりにくい。
（２）また、稜部１５は、縦方向に連続して形成されることで、衝突面１１の上から下にわたる広い範囲で存在でき、小便の跳ね返りを抑えやすい。
【００１４】
（３）さらに、不連続部２１の角度を、９０度より大きく１８０℃より小さい角度で、角度を任意に設定でき、よって衝突角度を十分に調節でき、小便の跳ね返りを抑えやすい。  すなわち、図１（Ｂ）、図５（Ｂ）に示すように衝突角度を、衝突方向と、２等辺三角柱状部分１７や三角錐状部分１９の斜面との角度θとすると、三角錐状部分１９に対しては小さなθ１であり、２等辺三角柱状部分１７に対しては大きなθ２である。
【００１５】
例えばθ２については、θ２が小さいほど跳ね返りを抑えやすいが、θ２を小さくすると、不連続部２１の角度Ｔ２が９０度に近づくのみならず、小便器１の凹部７の奥行きが必要になる。よって、適度なθ２が必要であり、任意に設定できることで、小便器１の設計に有利である。
【００１６】
（４）稜部１５を左右対称にでき、小便器１の美的外観を損なわない。
（５）稜部１５の全体形状を、縦置き状態で２等辺三角柱状部分１７の頂部に三角錐状部分１９を合体させた形状とすることで、衝突角度は、２等辺三角柱状部分１７と三角錐状部分１９とで、2段にすることができ、小便の跳ね返りをより抑えられる。
すなわち、図５（Ｂ）に示すように、小便が三角錐状部分１９の急斜面１９Ｂに衝突するときの第1衝突角度は小さなθ１であり、一度衝突した小便が急斜面１９Ｂの上を奥側に流れた後、そのまま２等辺三角柱状部分１７に衝突する第２衝突角度は、三角錐状部分１９の急斜面１９Ｂと、２等辺三角柱状部分１７の緩斜面１７Ｂとの面の角度差である小さな角度θ３となる。これら第1衝突角度θ１と第２衝突角度θ３を十分に小さくしながら、二つの衝突と、斜面との摩擦抵抗により、流速を弱め、最終的な衝突面１１との衝突時に十分に小さな流速にし、よって、跳ね返りを十分に抑えられる。
【００１７】
（６）逆さの三角錐状部分１９の稜線は上部が手前側へ傾斜する傾斜線とすることで、すなわち、図３に示すように、三角錐状部分１９の稜線１９Ａは上部が手前側へ傾斜する傾斜角度Ｔを大きくすることで、この稜線１９Ａへの衝突による小便の跳ね返りを下方へ向けることになり、跳ね返りを抑えられる。
【００１８】
「他の実施形態」
以上の実施形態では、稜部１５の水平断面を構成する手前側の左右の線は、下部で、直線であり、水平断面は２等辺三角であったが、他の実施形態では、折れ線、または曲線でも良い。特に凹状の折れ線、または凹状の曲線とすることで、跳ね返りを十分に抑えられる。
【００１９】
以上の実施形態では、稜部の水平断面は、縦方向に連続して変化するものであったが、他の実施形態では、変化しないものとすることができる。
この場合に、稜部１５の左右対称な水平断面を構成する手前側の左右の線を、凹状の折れ線とすれば、図６（Ａ）に示す稜部１５になる。左右の線を、凹状の曲線とすれば、図６（Ｂ）に示す稜部１５になる。
【図面の簡単な説明】
【００２０】
【図１】（Ａ）は本発明の実施形態を示す斜視図、（Ｂ）は（Ａ）の要部の稜部を説明する説明図である。
【図２】図１（Ａ）の正面図である。
【図３】図１（Ａ）の一部を断面にした側面図である。
【図４】図１（Ａ）のＩＶ−ＩＶ断面図である。
【図５】（Ａ）は図１（Ａ）のＶ−Ｖ断面図、（Ｂ）は（Ａ）の衝突角度を説明する説明図である。
【図６】（Ａ）（Ｂ）は、各々、本発明の他の実施形態を稜部示す斜視図である。
【符号の説明】
【００２１】
１…小便器、３…縦辺の背面、５…横辺の下面、７…凹部、９…吐水口、１１…衝突面、１３…集水部、１５…稜部、１７…２等辺三角柱状部分、１９…三角錐状部分。
【図１】
2010047929.tif 000003
【図２】
2010047929.tif 000004
【図３】
2010047929.tif 000005
【図４】
2010047929.tif 000006
【図５】
2010047929.tif 000007
【図６】
2010047929.tif 000008